(57)【特許請求の範囲】
【請求項１】
円盤状切削工具の切削工具本体であって、該切削工具本体は、
本体部、本体部から半径方向に延びる切削部、および、付勢部材を含み、
上記本体部は、半径方向内側部分、および、上記半径方向内側部分と上記切削部の間に配置された半径方向外側部分を含み、
上記半径方向外側部分は、隣接する第一および第二セクションを含み、
上記第一セクションは、上記半径方向内側部分と上記切削部の間に延びて、上記第二セクションに隣接する面を含み、
上記第二セクションは、上記第二セクションに隣接する面に対して横方向に延びる付勢面、および、上記付勢部材を保持し、上記第二セクションに隣接する面に結合された付勢部分を含み、
上記第一セクションは、上記付勢部材による上記付勢面への力の印加による上記付勢部材の作動で弾性的に曲がるように構成されており、それにより、その微調整のため上記切削部の位置を変更することを特徴とする切削工具本体。
【請求項２】
請求項１の切削工具本体であって、さらに、少なくとも１つの追加の切削部を含み、凹部が、隣接する切削部の間に形成されることを特徴とする切削工具本体。
【請求項３】
請求項１または２の切削工具本体であって、第一の方向が、上記本体部から上記切削部へと定義され、隣接する切削部の間の各凹部は、上記第一の方向と平行に延びることを特徴とする切削工具本体。
【請求項４】
請求項１〜３のいずれかの切削工具本体であって、上記第二セクションは、上記付勢部分と上記付勢表面の間に配置される間隙を備えて形成されることを特徴とする切削工具本体。
【請求項５】
請求項１〜４のいずれかの切削工具本体であって、上記間隙は、細長い付勢溝の一部であることを特徴とする切削工具本体。
【請求項６】
請求項１〜５のいずれかの切削工具本体であって、付勢溝が、上記本体部から上記切削部へと定義される第一の方向に直交する方向に延びることを特徴とする切削工具本体。
【請求項７】
請求項１〜６のいずれかの切削工具本体であって、上記第二セクションは、上記切削部の曲げ運動を制限するために、上記内側部分と上記付勢部分との間に結合されたアンカー部分を含むことを特徴とする切削工具本体。
【請求項８】
請求項１〜７のいずれかの切削工具本体であって、上記付勢部分は、上記付勢面よりも上記切削部により近いことを特徴とする切削工具本体。
【請求項９】
請求項１〜８のいずれかの切削工具本体であって、上記付勢部分は、上記付勢面に向けられ、その中心を通って延びる孔の中心軸を有する、ネジ付き孔を備えて形成されることを特徴とする切削工具本体。
【請求項１０】
請求項１〜９のいずれかの切削工具本体であって、上記本体部は円盤状であり、ネジ付き孔は、半径方向に延びることを特徴とする切削工具本体。
【請求項１１】
請求項１〜１０のいずれかの切削工具本体であって、付勢溝の方向は、半径方向に垂直な接線方向であることを特徴とする切削工具本体。
【請求項１２】
請求項９〜１１のいずれかの切削工具本体であって、孔の中心軸は、上記付勢面と８８．５〜９２．５度の角度αを形成することを特徴とする切削工具本体。
【請求項１３】
請求項９〜１１のいずれかの切削工具本体であって、非付勢状態において、孔の中心軸は、上記付勢面と、好ましくは９２．５度より大きくない鈍角αを形成することを特徴とする切削工具本体。
【請求項１４】
請求項９〜１３のいずれかの切削工具本体であって、非付勢状態において、角度αが、９０度以外（α≠９０°）であることを特徴とする切削工具本体。
【請求項１５】
請求項９〜１４のいずれかの切削工具本体であって、ネジ付き孔および／または上記付勢部材が、さらに、回転抑制配置を含むことを特徴とする切削工具本体。
【請求項１６】
請求項１〜１５のいずれかの切削工具本体であって、上記回転抑制配置は、パッチ、または、標準ＤＩＮ  ９１３  ＩＳＯ  ４０２６によって規定されるよりも小さいピッチであることを特徴とする切削工具本体。
【請求項１７】
請求項１〜１６のいずれかの切削工具本体であって、上記切削部は、その一側で上記本体部に結合されるだけであり、上記切削工具本体の他の部分に影響を及ぼすことなく、上記切削部の曲げを可能にし、上記本体部は、さらに、上記切削部の下方に延びる細長い付勢溝を含み、上記切削部の局所的で均一な曲げをさらに可能にし、上記付勢部分および上記付勢面は、上記付勢溝の両側に配置されることを特徴とする切削工具本体。
【請求項１８】
工作機械であって、請求項１〜１７のいずれかの切削工具本体を複数含むことを特徴とする工作機械。
【請求項１９】
請求項１８の工作機械であって、切削工具本体の各々が、少なくとも１つの隣接する切削工具本体に当接することを特徴とする工作機械。
【発明の詳細な説明】
【技術分野】
【０００１】
本出願の主題は、一般的には、金属加工機での使用のために設計され、切り屑の除去用に設計された工具、特に、切削本体、および、そのような切削本体を複数有する工具に関する。より詳細には、各切削本体は、その一つ以上の切削部の位置の微調整または調整用に構成される。
【背景技術】
【０００２】
工具は、一つ以上の切削本体を備え、加工物に、同時に、一つ以上のスロットまたは溝を切削するか、加工物を切り離すように構成され得る。
【０００３】
そのような切削本体は、各々、一体の刃先を有する切削部を備え、挿入ポケット内に刃先を有する切削インサートを保持するように構成され得る。
【０００４】
切削部、結果としてその刃先の位置の調整または微調整は、高精度の切削操作のための正確な位置決めを可能にし得る。
【０００５】
様々な切削本体と工具は、特許文献１〜６に開示されている。
【先行技術文献】
【特許文献】
【０００６】
【特許文献１】米国特許第４，５４７，１００号明細書
【特許文献２】米国特許第６，０５６，４８４号明細書
【特許文献３】米国特許第６，７０２，５２６号明細書
【特許文献４】米国特許第７，０８６，８１２号明細書
【特許文献５】米国特許第７，４０２，０１０号明細書
【特許文献６】米国特許第６，４３１，７９９号明細書
【発明の概要】
【発明が解決しようとする課題】
【０００７】
微調整用に構成された新規および改良された切削本体を提供することが本発明の目的である。
【課題を解決するための手段】
【０００８】
本出願の主題の第１の態様によれば、その切削部の位置の微調整のために構成された、切り屑除去金属加工機のための切削本体が提供される。
【０００９】
より正確には、切削本体は、本体部、本体部から延びる切削部、および付勢部材を含み得、本体部は、内側部分と、内側部分と切削部の間に配置された外側部分を含み、外側部分は、隣接する第一および第二セクションを含み、第一セクションは、内側副部と切削部との間に延在して、第二セクションに隣接して面を含み、第二セクションは、第一セクションの面に対して横方向に延びる付勢面を含み、付勢部分は、付勢部材を保持して第一セクションの面部と結合されており、第一セクションは、付勢部材による付勢面への力の印加による付勢部材の作動によって弾性的に曲がり、それにより、その微調整のために切削部の位置を変更するように構成されている。
【００１０】
第一セクションは、例えば、それが切削本体の隣接部分よりも小さい厚さを有することによって、曲がるように構成され得ることが理解されるであろう。そのような隣接部分は、内側部分であり得る。
【００１１】
本出願の主題の別の態様によれば、切削部の位置を微調整するように構成された、本体部から延びる切削部を含む切削本体が提供され、本体部は、内側部分と、内側部分と切削部との間に配置された外側部分を含み、外側部分は、弾性的に曲がるように構成されたセクションと、付勢部材を保持するように構成され、弾性的に曲がるように構成されたセクションよりも切削部に近く配置された付勢部分を含む。
【００１２】
本出願の主題のさらに別の態様によれば、切削部の位置を微調整するように構成された本体部から延びる切削部を含む切削本体が提供され、切削部は、その一側で本体部に接続されるのみで、切削本体の他の部分に影響を与えることなく、切削部の曲がりを可能にし、本体部は、さらに、切削部の下方に延びる付勢溝を含んで、さらに、その曲がりを可能にし、および、付勢部分と付勢面が、付勢溝の対向側に配置されて、付勢部分と付勢面は、付勢部材と協働するように構成されて曲がりを可能にする。
【００１３】
本出願の主題のさらに別の態様によれば、付勢部分と付勢面とを有する本体部を含む切削本体が提供され、切削部は、第一の方向に本体部から延びており、付勢部材は、端面を有し、付勢部材は、付勢部材の端面が付勢面と接触して、付勢部分によって保持されており、付勢部材は、第一の方向とほぼ反対方向に付勢面に対して第一の力を印加し、付勢部材は、横方向に付勢部分に対して第二の力を印加し、それによって、その微調整のために切削部の位置を変更することを特徴とする。
【００１４】
本出願の主題のさらなる態様によれば、複数の切削本体を含む工作機械が提供される。切削本体の各々は、上記および下記で説明する態様のいずれをも有し得る。
【００１５】
本出願の主題のさらに別の態様によれば、上記または下記で説明されるどの態様をも有する、切削本体の微調整方法が提供される。この方法は、以下の工程を含み得る。
ａ．第一の方向への付勢部材の移動を介して付勢面に対し付勢部分を移動させ、それにより、第一のセクションに、第一の較正方向に曲がり、そこから延びる切削部の位置を変更することをもたらし得る工程、
ｂ．所定の角度に達したときに、第一の方向への付勢部材の移動を停止する工程、
ｃ．第一の方向と反対の第二の方向に付勢部材を移動させ、第一の方向と反対の第二の較正方向に切削部を移動させるため第一セクションの弾性を可能にする工程、および、
ｄ．所望の微調整位置に到達するとき付勢部材の移動を停止する工程。
【００１６】
上述は要約であり、上記態様のいずれかは、さらに、他の態様のいずれかに関連して説明された態様、または、以下に説明される態様のいずれかを含み得ることが理解されるであろう。具体的には、以下の態様が、単独または組み合わせて、上記のいずれかの態様に適用可能である。
Ａ．切削本体は、隣接する切削部の間に形成され得る、凹部を備えて形成され得る。
Ｂ．切削部は、その両側の凹部によって取り囲まれ、独立した曲げを可能にし得る。切削部は、切削部の大部分に沿って、その下方に延びる付勢溝に関連付けられ、切削部の均一な曲げを提供し得る。切削部は、切削部の曲げ運動を制限するように構成され得るアンカー部分に関連付けられ得る。
Ｃ．第二セクションは、付勢部分と付勢面との間に配置される空隙を備えて形成され得る。間隙は、細長い付勢溝の一部であり得る。付勢溝は、例えば、本体部が円盤状である場合には、接線方向に延び得る。第二セクションは、関連付けられた切削部の曲げ移動を規制または制限するための、内側部分と付勢部分との間に接続されたアンカー部分を含み得る。
Ｄ．付勢部分は、付勢面よりも切削部により近くであり得る。付勢部分は、付勢面に向けられ、その中心を通って延びる孔中心軸を有する、ネジ付き孔を備えて形成され得る。付勢部分は、付勢部材を保持するように構成され得る。ネジ付き孔および／または付勢部材は、回転抑制配置を含み得る。そのような配置は、以下に例示されるもののような回転工具における付勢部材の使用においてさえも、かかる使用に限定されないが、正確な所望の位置の維持を支援し得ることが見出された。回転抑制配置は、そのネジに固定されるパッチであり得ることが見出された。金属加工工具、特に回転工具の切削本体を微調整するように形成された付勢部材の移動を防止するためのパッチの使用は、これまで未知であると考えられる。回転抑制配置は、ネジ付き孔のネジであり得、ネジは、ＤＩＮ  ９１３、ＩＳＯ  ４０２６で定義されるよりも小さいピッチで形成される。
Ｅ．第一の方向は、本体部から切削部へと定義され得る。より正確には、第一の方向は、付勢部分の中心軸と同軸であり得る。第二の方向は、第一の方向と直交するとして定義され得る。本体部が長尺の実施例においては、第一の方向は、長手方向であり得る。本体部が円盤状である具体例においては、第一の方向は、半径方向であり得る。隣接する切削部の間の各凹部は、第一の方向に平行に延び得る。付勢溝は、第二の方向に延び得る。本体部が円盤状である具体例においては、付勢溝の方向は、第一の方向及び軸方向の双方に垂直、すなわち、接線方向であり得る。
Ｆ．本体部は円盤状であり得る。そのような場合においては、隣接する切削部の間の各凹部は、半径方向に延び得る。ネジ付き孔は、半径方向に延び得る。孔の孔中心軸は、８８．５から９２．５度の間で、付勢面との角度αを形成し得る。いくつかの具体例では、角度αは鈍角であり得るが、好ましくは９２．５度より大きくない。非付勢状態では、孔の中心軸は、付勢面と鈍角αを形成し得る。そのような場合において、見出された最も好ましい鈍角は、これまでのところ、９１．５°である。非付勢状態においては、孔の中心軸は、付勢面と鋭角αを形成し得る。そのような場合において、見出された最も好ましい鋭角は、これまでのところ、８８．５度である。以下に示される例のような、いくつかの具体例によれば、第一のセクションにより近くで付勢面に接触するように付勢部材を作動させることが、第一のセクションからより遠くで付勢面に接触する場合よりも小さな力をもたらし得るので、鈍角が、最も好ましいことが理解されるであろう。したがって、切削体は、付勢部材の作動に影響を受けにくく、正確に調整することが簡単であり得る。しかし、切削体が、曲げに対して抵抗性である（例えば、異なる厚さ、または、用いられる材料によって）具体例においては、鋭角αが好適であり得ることが想定される。
Ｇ．切削部は、切削体の他の部分に影響を与えることなく、切削部の曲げを可能にするために、その一側で、本体部に接続されるだけであり得る。本体部は、切削部の局所的で均一な曲げをさらに可能とするため、切削部の下方に延びる細長い付勢溝を含み得る。付勢部分と付勢面は、付勢溝の両側に配置され得る。
Ｈ．切削体のいずれか、または、それぞれは、少なくとも１つの隣接する切削体に当接し得る。
Ｉ．本体部は、円盤状であり、本体中心軸を有し得る。
Ｊ．第一の力は、概して、半径方向内方に付勢部材によって印加され得る。
Ｋ．第二の力は、概して、軸方向に、付勢部分を介して、付勢部材によって印加され得る。
Ｌ．微調整の方法は、上述の工程（ａ）の前に、隣接する切削体を、互いに当接する態様で、固定する工程を含み得る。
Ｍ．微調整の方法は、付勢面から離れて付勢部分を移動させることによって、付勢面に対して付勢部分を移動させることを含み得る。
【００１７】
本出願の主題をよりよく理解するため、および、いかに同じものが実際に実施され得るかを示すために、次に、添付の図面に参照がなされるであろう。
【図面の簡単な説明】
【００１８】
【図１Ａ】切削工具およびそれ用のネジ込み具の斜視図である。
【図１Ｂ】図１Ａにおける切削工具の正面図である。
【図１Ｃ】図１Ａおよび１Ｂにおける切削工具の側面図である。
【図２Ａ】図１Ａ〜１Ｃに示された切削工具の切削本体の正面図であり、付勢部材や切削インサートを含まない。
【図２Ｂ】図２Ａにおける２Ｂ−２Ｂ線に沿った断面図である。
【図２Ｃ】図２Ｂにおける部分Ａの拡大図であり、さらに付勢部材と切削インサートを含む。
【００１９】
適切と考えられる場合には、参照番号は、対応または類似する要素を示すために図面間で繰り返され得る。
【発明を実施するための形態】
【００２０】
以下の説明においては、本出願の主題の様々な態様が説明されるであろう。説明の目的のため、本出願の主題の完全な理解を提供するように、特定の構成および詳細部分が十分に詳細に説明される。しかし、本出願の主題は、本明細書に提示される特定の詳細部分なしに実施され得ることは、当業者に、また明らかであろう。
【００２１】
この非限定的な実施例においては回転工具である、金属切削操作用の工具１０を示す図１Ａ〜１Ｃを参照すると、工具１０は、複数の切削本体１２と、切削本体１２を微調整するための、この実施例においてはアレンキーであり得る、標準の回転／締付具１１（図１Ａ）を含む。
【００２２】
この非限定的な実施例において、互いに直接に隣接して配置された５つの切削本体１２が存在する（図１Ｃに示されるように、工具１０は、隣接する切削本体１２間に間隙を持たない。）。より正確には、各切削本体１２は、隣接する各切削本体１２に当接させて固定され得る。そのような配置は、複数の、近接して間隔をあけた切削が行われることを可能にし得る。
【００２３】
中央開口１８が切削本体１２の中央に形成され得る。本体の中心軸ＡＣは、切削本体１２の中央部または中心点２０を通過することができ、この実施例では、中央開口１８の中心点と一致し得る。切削本体１２が回転工具に使用されるように構成されている具体例においては、切削本体１２は、本体の中心軸ＡＣの周りを回転するように構成され得る。
【００２４】
図２Ｂを参照すると、各切削本体１２は、そこから切削部１６が半径方向外側に延びている本体部１４と、それぞれ関連する各切削部１６に関連付けられ、関連する各切削部１６を配向させるように構成された付勢部材１７（図２Ｃ）を含み得る。
【００２５】
本明細書および特許請求の範囲において、用語「軸方向」と「半径方向」を含む方向への言及は、本体の中心軸ＡＣに対してなされる。
【００２６】
切削部１６は、本体部１４の周りに、周方向に、均等または他の状態で配置され得る。
切削部１６は、隣接する切削本体１２の切削部１６に対して千鳥状に配置され得る（図１Ａに良く示される）。各切削部１６は、隣接する切削部１６に未接続、または、言い換えると、隣接する切削部１６から離れて配置され得る。より正確には、各切削本体１２は、隣接する切削部１６間に形成された凹部１９（図２Ａ）を備えて形成され得る。各凹部１９は、本体部１４に延びることができ、この実施例の円盤状工具では、半径方向ＤＲに延び得る。各切削部１６は、隣接する切削部１６の位置とは無関係の曲げ動作のために構成され得る。
【００２７】
各切削部１６は、（例えば、図１Ｃの側面図に示されるように）平面形状を有し得る。
【００２８】
特に、図２Ｃを参照すると、各切削部１６は、本体部１４から延び、対向する上端部１６Ａで終端し得る。各切削部１６は、互いに平行であり得、本体部１４から上端部１６Ａまで延び得る、軸方向に対向する第一および第二の主側面１６Ｂ、１６Ｃを有し得る。各切削部１６は、第一および第二の主側面１６Ｂ、１６Ｃ間に、厚みＴＣ（図２Ｂ）の大きさを有し得る。
【００２９】
特に図２Ａを参照すると、各切削部１６は、第一および第二の副側面１６Ｄ、１６Ｅを有し得る。第一および第二の副側面１６Ｄ、１６Ｅは、関連付けられた切削部１６の対向側部に配置され得る。第一および第二の副側面１６Ｄ、１６Ｅは、それぞれ、本体部１４、上端部１６Ａ、および、第一および第二の主側面１６Ｂ、１６Ｃの間に延び得る。
【００３０】
図１Ｂに最もよく示されるように、この非限定的な実施例では、各切削部１６は、着脱自在にそこに固定されるインサート２２をさらに有し得る。各インサート２２は、切削本体１２に沿って周囲に配置された、切刃２４を有する。本出願の主題は、どの特定のタイプの切削部１６、インサート２２、または、切刃２４にも限定されないことが理解されるであろう。いずれの場合においても、いくつかの具体例によれば、各切削部１６は、インサート２２が装着される、ポケット２６（図２Ａ）を備えて形成されている。
【００３１】
図２Ａに最もよく示されるように、本体部１４は、円盤状であり得る。
【００３２】
図２Ｂから最もよく理解されるように、本体部１４は、内側部分３９、および、内側部分３９と各切削部１６との間に延びる外側部分４０を含み得る。
【００３３】
図２Ａおよび２Ｂから理解されるように、内側部分３９は、円筒形状を有し得る。
【００３４】
図２Ａに最もよく示されるように、内側部分３９は、内周端２８、外周端２９、および、それらの間に延びる第一および第二の側面３０、３２の間に画定される。
【００３５】
図２Ｂを参照すると、内側部分３９は、半径方向深さＤＨの大きさを有し得る。そのような半径方向深さＤＨは、内周端２８と外周端２９の間に画定され得る。
【００３６】
本実施例におけるように、内周端２８は、回転軸（不図示）との接続のために構成された凹部３４（図２Ａ）を備えて形成され得る。しかし、用途ごとに、内側部分３９は、べたの、または、均一な構造を有し得、別の言い方をすれば、内側部分３９は、凹部、または、凹んだ領域を欠き得る。
【００３７】
第一および第二の側面３０、３２は、本体の中心軸ＡＣに垂直に（この実施例においては、半径方向ＤＲを含む半径方向の平面に）延び得る。
【００３８】
次に図２Ｃを参照すると、外周端２９は、外側部分４０との交点に配置され得る。
【００３９】
外側部分４０は、隣接する第一および第二セクション４０Ａ、４０Ｂを含み得る。
【００４０】
また、図２Ｂを参照すると、第一セクション４０Ａは、内側部分３９と切削部１６との間に延び得る。第一セクション４０Ａは、対向する第一および第二面４０Ａ１、４０Ａ２を有し得る。
【００４１】
第一面４０Ａ１は、内側部分の第一の側面３０と、関連する切削部１６の第一の主側面１６Ｂとの間に延び得る。第二の面４０Ａ２は、内側部分３９に向けて、関連する切削部１６の第二の主側面１６Ｃから延び得る。
【００４２】
第二セクション４０Ｂは、内側部分３９から半径方向外側に、第一セクション４０Ａから軸方向外方に配置され得る。第二セクション４０Ｂは、付勢部分３６Ａと、大体において、半径方向の外側に面している、付勢面３５を含み得る。第２の部分４０Ｂは、また、アンカー部分３６Ｂ（図２Ａ）を含み得る。
【００４３】
付勢面３５の定義に続き、第一セクション４０Ａのより正確な定義は、それが、付勢面３５に隣接して終端する内側部分３９から、付勢部分３６Ａの上縁３７Ａに隣接して始端する関連する切削部１６まで延びるということである。
【００４４】
付勢部分３６Ａは、第一セクション４０Ａの第二面４０Ａ２から延び得る。付勢部分３６Ａは、その上縁３７Ａ及び下縁３７Ｂの間に延び得る。上縁および／または下縁３７Ａ、３７Ｂは、第二の面４０Ａ２に垂直に延び得る。上縁３７Ａは、下端３７Ｂよりも、本体の中心軸ＡＣから遠くに配置され得る。下縁３７Ｂは、付勢面３５から離れた位置で終端し得る。別の言い方をすれば、下縁３７Ｂと付勢面３５との間に間隙３７Ｃが存在し得る。付勢部分３６Ａは、内ネジ付きの孔３６Ａ１（図２Ｂ）を備えて形成され得る。付勢部分３６Ａは、細長であり得る（例示的な翼状の形状が示される、図２Ａに最もよく示される。）。そのような細長部は、関連する切削部１６の第二副側面１６Ｅに関連付けられた凹部１９から、同じ切削部１６の第一副側面１６Ｄに関連付けられた、もう一つの凹部１９に向かう方向に延び得る。細長部は、関連付けられた切削部１６の凹部１９間の距離の大部分に沿って延び得る。
【００４５】
下縁３７Ｂは平坦であり得る。平坦な下縁３７Ｂは、本体の中心軸ＡＣに対し接線方向（ＤＴ）に延び得る。
【００４６】
上縁３７Ａは、湾曲され得る。湾曲した上縁３７Ａは、付勢面３５の一部と平行に延び得る。
【００４７】
ネジ付き孔３６Ａ１と整列する付勢面３５の一部は、外周端２９の一部と一致し、別の言い方をすれば、外周端２９の一部を共に構成し得る。
【００４８】
孔中心軸ＡＢ（図２Ｂ）は、ネジ付き孔３６Ａ１の中心を通って延び得る。ネジ付き孔３６Ａ１は、半径方向に延び得る。別の言い方をすれば、孔中心軸ＡＢは、切削本体１２の中心２０と交差し、または、切削本体１２の中心２０に近接して延び得る。非付勢状態において、すなわち、付勢部材１７が付勢面３５に力を印加していないときに、付勢面３５は、ネジ付き孔３６Ａ１の穴中心軸ＡＢと角度α（図２Ｂに示されるように、すなわち、そのような角度は、側面視で見られ得る。）を形成し得る。所望の用途に応じ、角度αは、８８．５度〜９２．５度の間であり得る。この非限定的な実施例においては、角度αは９１．５°である（図２Ｂおよび２Ｃ中の付勢面３５の傾斜は、視認を容易にするために誇張されている。）。鈍角、例えば９１．５度は、付勢部材１７の調整において切削部１６の感度を低減することから、鋭角、例えば８８．５度よりも有利であると考えられる。しかしながら、そのような増幅された感度が望まれる場合があり得る。したがって、角度は、８８．５度＜Ａ＜９２．５度の条件を満たすことが好ましい。同様に、９０度の角度が実行可能であるが、角度αは９０度以外（α≠９０度）であることが好ましく、それは、付勢部材１７を最初に移動させるために必要な力に影響を与え得る。非付勢状態における角度αと無関係に、いくつかの具体例による曲げ動作は、８８．５度と９２．５度の間の、関連する切削部１６の移動範囲を可能にし得る。そのような範囲は、微調整のために十分であり、締付具１１の少ない回転数を必要とし得る。
【００４９】
第二セクション４０Ｂは、付勢溝４２を備えて形成され得る。間隙３７は、付勢溝４２の一部を構成し得る。付勢溝４２は、関連する切削部１６の第二副側面１６Ｄに関連した凹部１９に開口し得る、第一の端部４２Ａを有し得る。付勢溝４２は、関連する切削部１６の第一副側面１６Ｅと関連付けられた凹部１９と、本体部１４の内部部分３９にとの間に終端する、閉じた第二の端部４２Ｂを有し得る。付勢溝４２は、接線方向ＤＴに延び得る。付勢溝４２は、付勢部分３６Ａの下縁３７Ｂ（図２Ｂ）、付勢面３５（図２Ｃ）、第一セクション４０Ａの第二面４０Ａ２（図２Ｂ）の間に画定され得る。
【００５０】
付勢溝４２は、切削本体１２に局所的な柔軟性を提供するように構成され得ることが理解されるであろう。さらに具体的には、付勢溝４２は、内側部分３９と、関連する切削部１６との間に配置された領域で、内側部分３９に対する外側部分４０の柔軟性を提供する。付勢溝４２の延びは、関連付けられた切削部１６全体に対して均一な曲げ動作を可能にするため、関連する切削部１６の延びに対応し得る。
【００５１】
凹部１９はまた、局所的な柔軟性を可能にし得る。凹部１９は、切削部１６を互いから隔離する役割を果たし得る。従って、凹部１９は、関連する切削部１６の全体に均一な曲げ動作を可能にし得る。注目すべきことに、凹部１９は、切削部１６間に形成され得、また、外側部分４０に形成され得る。
【００５２】
アンカー部分３６Ｂ（図２Ａ）は、外周端２９から付勢部分３６Ａに延び得、それによって、それらの間に結合部または首部を形成する。アンカー部分３６Ｂは、隣接する付勢溝４２と、そこに隣接する関連する凹部１９との間に画定され得る。アンカー部分３６Ｂは、関連付けられた切削部１６の曲げ動作を規制し得る。別の言い方をすれば、アンカー部分３６Ｂは、関連付けられた切削部１６の曲げ動作を制限し得る。曲げに対するそのような規制や制限は、柔軟性を高めるように設計される要素を相殺し得る。
【００５３】
また、各付勢溝４２は、第一端４２Ａから延びて、隣接する付勢溝４２まで拡がること、すなわち、第二の端部４２Ｂが形成されないことも実行可能であると理解されるであろう。しかしながら、アンカー部分３６Ｂを設けることは、場合によっては、関連付けられた切削部１６の過度の延び（すなわち、過度の曲げ）を制限するために有利であり得る。
【００５４】
この非限定的な例において、付勢部材１７は、外部ネジ１７Ｃを備えたネジであり得る。付勢部材は、例えば、非ネジ切りレバーまたはクランプ部材のようなネジ以外であり得ることが理解されるであろう。付勢部材１７は、付勢面３５と係合する平坦な端部１７Ａを有し得る。付勢部材１７は、上縁３７Ａと付勢面３５との間の長さよりも短い長さを有し得、その結果、ネジ付き孔３６Ａ１に取り付けられたとき、関連付けられた切削部１６に向かう方向において、付勢部分３６Ａから突出しない。回転抑制機構１７Ｂと共に構成されることは、付勢部材１７にとって、有利であり得ると考えられる。そのような回転抑制機構１７Ｂは、切削操作中、ネジの外部ネジ１７Ｃに、少なくともネジ付き孔３６Ａ１に係合される部分に固定される、例えば、ナイロン製パッチであり得る。そのようなパッチは、関連付けられた切削本体１６の切削操作中、ネジ付き孔３６Ａ１における付勢部材１７の望ましくない回転を阻止するように構成され得る。適切な例のパッチは、商品名「Ｔｕｆｌｏｋ（登録商標）」として、Ｂｏｓｓａｒｄグループにより販売されている。パッチは、代替的に、または付加的に、ネジ付き孔３６Ａ１に適用され得る。あるいは、そのような回転抑制機構１７Ｂは、小さなピッチ、すなわち、国際標準化機構（ＩＳＯ）によって定義されるよりも小さい、例えば、標準のＤＩＮ  ９１３、ＩＳＯ  ４０２６で定義されるよりも小さいピッチのネジを有する付勢部材１７であり得る。
【００５５】
作動中、付勢部材１７は、ネジ付き穴３６Ａ１に挿入され得る。付勢部材１７は、それが付勢面３５に接触するが、そこに力を加えない状態まで、すなわち、切削本体１２が、付勢されていない状態まで、工具１１（図１Ａ）を介して、回転させられ得る。切削操作のための調整の間、すべての付勢部材１７が、最初に、ネジ付き孔３６Ａ１内の先に回転させられ得、その結果、それは、付勢面３５に力を印加する。第１セクション４０Ａは、内側部分３９よりも柔軟であるので、これは、この非限定的な実施例において、（第１セクション４０Ａの）厚みＴＣの大きさが、（内側部分３９の）半径方向深さＤＨの大きさよりも小さいことの結果であるが、第一セクション４０Ａは、方向ＤＢに曲る（図２Ｃ、曲りは示されていない。）。初期付勢は、この非限定的な実施例においては、曲げ範囲の限界、例えばα＝９２．５度であり得る、所定の最大曲げ角度までである。各切削部１６は、非付勢状態と最大曲げ角度との間の所望の曲げ角度、この非限定的な実施例においては９１．５°である曲げ角度に到達するまで、次いで、反対方向に付勢部材１７を回転させることによって、所望の位置に校正され得る（図２Ｂ）。
【００５６】
非付勢状態が、８８．５度のような鋭角を有する場合に、最初の回転は、９０度の所定の最大曲げ角度までであり得、所望の位置は、非付勢状態の８８．５度と最大曲げ角度との間の所望の曲げ角度に到達するまで、反対方向に付勢部材１７を回転させることによって達成され得る。
【００５７】
第一セクション４０Ａの材料の弾性は、第一セクション４０Ａが、最初の最大曲げ角度から所望の曲げ角度に戻ることを可能にする。
【００５８】
各切削本体１２は、例えば鋼である、弾性材料から製造され得ることが理解されるであろう。しかしながら、切削本体が、複数の材料から製造される場合には、少なくとも本体部１４、より具体的には、少なくともその第一セクション４０Ａが、好ましくは弾性材料で製造されることが理解されるであろう。
【００５９】
ネジ付き孔３６Ａ１（図１Ｃに最もよく示される。）の半径方向の向きのあり得る利点は、半径方向は、他の方向よりも、より容易に観察され、および／または、アクセスし得るので、そこに配置された付勢部材１７を回転させるためのアクセスの容易性であり得る。言い換えると、本出願の主題は、複数の切削本体が、互いに直接近接して装着または装填されること、および、この位置にあって調整されることを可能にする。
【００６０】
実現可能な代替の配置が可能であること、例えば、ネジ付き孔３６Ａ１は、第二面４０Ａ２または切削部１６に対して傾斜し得ることが理解されるであろう。同様に、軸ＡＢは、第二面４０Ａ２または切削部１６に対して傾斜し得、付勢面３５は、例えば、第２面４０Ａ２または切削部１６に対して垂直であり得る。
【００６１】
この非限定的な実施例においては、工具１０は、複数のスロットまたは溝の同時切削用に構成される、いわゆる溝フライスであり、所望により、また、工作物の同時複数分割を実行するように構成され得る。しかしながら、他のタイプの回転工具、または、特に複数の刃を有するタイプの非回転工具が、本出願の主題に従って、工具または切削本体を構成し得ることが理解されるであろう。回転切削部または工具に関する、説明された要素および方向の名称は、非回転切削部または工具に、準用して変更されることが理解されるであろう。例えば、上述の半径方向は、細長いブレード状工具に対して、第一の方向または長手方向であり得る。すべてのそのような場合において、付勢部材は、付勢表面に一方向に第一の力を付加し、横方向に第二の力を付加し、それにより、切削部の位置を、その微調整のために変更する。
【００６２】
特に、示された非限定的な実施例において、付勢部材１７は、切削部１６の、すなわち、切削インサート２２または切刃２４に関連する、どのクランプ機構とも異なる。より正確には、切削部１６は、付勢要素又は部分を欠いている。従って、切削部１６において、ネジ孔、付勢部材または部分のような付勢要素または部分に起因する厚みの制限はない。この構成のあり得る利点は、切削部が付勢要素を収容するために必要な幅に限定されないということ、および、特に、隣接する複数の切削本体が存在する場合には、非常に薄い切削、または、複数の切削が達成され得るということであり得る。ネジ付き孔３６Ａ１の向き（すなわち、この実施例では、半径方向に配向されている。）は、示されたコンパクトな構成であっても、操作者にアクセスを可能とすることが理解されるであろう。
【００６３】
さらに、この非限定的な実施例においては、（ａ）付勢部材１７、（ｂ）付勢面３５、および、（ｃ）ネジ付き孔３６Ａ１の一つ以上が、関連付けられた切削部１６と、切削本体１２の中心２０の間に配置される。別の言い方をすれば、付勢部材１７および／または付勢面３５および／またはネジ付き孔３６Ａ１は、切削部１６よりも切削本体１２の中心２０に近い位置に配置される。
【００６４】
本出願の主題の他のあり得る利点は、切削部の位置の調整を可能にするため、切削本体が、その切削部および本体部の交点において柔軟であるように構成され提供されるということである。柔軟領域に加えて、切削部は、柔軟性を調節するか、または切削部の過剰な移動を安定化または制限するために、アンカー構成を有し得る。
【００６５】
本出願の主題は、特定の実施例を参照して説明されたが、説明は、全体として例示することを意図されており、示された具体例に、本出願の主題を限定するものとして解釈されるべきではない。
【図１Ａ】
0005966005.tif 000002
【図１Ｂ】
0005966005.tif 000003
【図１Ｃ】
0005966005.tif 000004
【図２Ａ】
0005966005.tif 000005
【図２Ｂ】
0005966005.tif 000006
【図２Ｃ】
0005966005.tif 000007